【手続補正書】
【提出日】平成17年5月10日(2005.5.10)
【手続補正１】
【補正対象書類名】明細書
【補正対象項目名】発明の名称
【補正方法】変更
【補正の内容】
【発明の名称】電子装置、電気光学装置、及び電子機器
【手続補正２】
【補正対象書類名】明細書
【補正対象項目名】特許請求の範囲
【補正方法】変更
【補正の内容】
【特許請求の範囲】
【請求項１】
複数の走査線と、
複数のデータ線と、
各々が電子素子を含む複数の単位回路と、を含み、
前記複数の単位回路のうち第１の単位回路に前記複数のデータ線のうちの１つのデータ線を介してデータ信号が供給されてから、前記複数の単位回路のうち前記第１の単位回路とは異なる第２の単位回路に前記１つのデータ線を介してデータ信号が供給されるまでの期間内に、前記複数の単位回路のうち、前記第１の単位回路及び前記第２の単位回路とは異なる第３の単位回路にリセット制御信号が供給され、
前記第１の単位回路に前記１つのデータ線を介してデータ信号が供給され、次に前記第１の単位回路に前記１つのデータ線を介してデータ信号が供給されるまでの期間内に前記第１の単位回路にリセット制御信号が供給されること、
を特徴とする電子装置。
【請求項２】
請求項１に記載の電子装置において、
前記第１の単位回路は、前記複数の走査線の第１の走査線に接続され、
前記第２の単位回路は、前記複数の走査線のうち、前記第１の走査線とは隣接しない第２の走査線に接続され、
前記第３の単位回路は、前記複数の走査線のうち、前記第１の走査線に隣接した第３の走査線に接続されていること、
を特徴とする電子装置。
【請求項３】
請求項１に記載の電子装置において、
前記第１の単位回路は、前記複数の走査線のうち第１の走査線に接続され、
前記第２の単位回路は、前記複数の走査線のうち、前記第１の走査線に隣接した第２の走査線に接続され、
前記第３の単位回路は、前記複数の走査線のうち、前記第１の走査線とは隣接しない第３の走査線に接続されていること、
を特徴とする電子装置。
【請求項４】
請求項１乃至３のいずれかに記載の電子装置において、
前記リセット制御信号は、前記複数のデータ線を介して前記複数の単位回路に供給されること、
を特徴とする電子装置。
【請求項５】
複数の走査線と、
複数のデータ線と、
各々が電子素子を含む複数の単位回路と、を含み、
前記複数の単位回路のうち、前記複数の走査線のうち２以上の走査線に対応する単位回路に連続してデータ信号が供給され、
１フレーム内に前記複数の単位回路のうちいずれかの単位回路がリセット動作を行うこと、
を特徴とする電子装置。
【請求項６】
請求項１乃至５のいずれかに記載の電子装置において、
前記複数の単位回路の各々は、
前記複数の走査線のうちの１つの走査線を介して供給される走査信号により導通状態が制御される第１のトランジスタと、
前記複数のデータ線のうちの１つのデータ線及び前記第１のトランジスタを介して供給されるデータ信号により導通状態が設定される第２のトランジスタと、を含むこと、
を特徴とする電子装置。
【請求項７】
請求項１乃至６のいずれかに記載の電子装置において、
前記データ信号は多値であること、
を特徴とする電子装置。
【請求項８】
請求項１乃至７のいずれかに記載の電子装置において、
前記リセット制御信号は、前記電子素子を所定状態にリセットすること、
を特徴とする電子装置。
【請求項９】
請求項４に記載の電子装置において、
前記リセット制御信号は前記複数のデータ線に付随する電荷のリセットも行うこと、
を特徴とする電子装置。
【請求項１０】
請求項６に記載の電子装置において、
前記リセット制御信号は前記第２のトランジスタの導通状態を実質的にオフ状態とすること、
を特徴とする電子装置。
【請求項１１】
複数の走査線と、
複数のデータ線と、
各々が電気光学素子を含む複数の単位回路と、を含み、
前記複数の単位回路のうち第１の単位回路に前記複数のデータ線のうちの１つのデータ線を介して、前記第１の単位回路に含まれる電気光学素子の輝度を設定するためのデータ信号が供給されてから、前記複数の単位回路のうち前記第１の単位回路とは異なる第２の単位回路に前記第２の単位回路に含まれる電気光学素子の輝度を設定するためのデータ信号が供給されるまでの期間内に前記複数の単位回路のうち、前記第１の単位回路及び前記第２の単位回路とは異なる第３の単位回路に前記第３の単位回路に含まれる電気光学素子の輝度を実質的にゼロとするリセット制御信号が供給され、
１フレーム内に、前記第１の単位回路に前記リセット制御信号が供給されること、
を特徴とする電気光学装置。
【請求項１２】
請求項１１に記載の電気光学装置において、
前記複数の単位回路の各々は、
前記複数の走査線のうちの１つの走査線を介して供給される走査信号により導通状態が制御される第１のトランジスタと、
前記複数のデータ線のうちの１つのデータ線及び前記第１のトランジスタを介して供給されるデータ信号により導通状態が設定される第２のトランジスタと、を含むこと、
を特徴とする電気光学装置。
【請求項１３】
請求項１２に記載の電気光学装置において、
前記リセット制御信号は、前記第２のトランジスタの導通状態を実質的にオフ状態とすること、
を特徴とする電気光学装置。
【請求項１４】
請求項１１乃至１３のいずれかに記載の電気光学装置において、
前記電気光学素子は発光素子であること、
を特徴とする電気光学装置。
【請求項１５】
請求項１１乃至１４のいずれかに記載の電気光学装置を実装したことを特徴とする電子機器。
【手続補正３】
【補正対象書類名】明細書
【補正対象項目名】００１４
【補正方法】変更
【補正の内容】
【００１４】
本発明の第５の電子装置は、 複数の走査線と複数のデータ線との交差部に対応して配置された複数の単位回路であって、各々が、前記複数の走査線のうち対応する走査線を介して供給される走査信号により制御される第１のトランジスタと、前記第１のトランジスタを介して供給される前記データ信号を前記データ信号を保持する保持素子と、前記保持素子に保持された前記データ信号に基づいて導通状態が設定される第２のトランジスタと、設定された前記第２のトランジスタの前記導通状態に相対した電圧レベルまたは電流レベルを有する電圧または電流が供給される電子素子と、を含む複数の単位回路と、前記複数のデータ線にデータ信号を出力するためのデータ線駆動回路と、前記複数の走査線を介して前記走査信号を前記複数の単位回路に供給する走査線駆動回路と、を含み、前記複数の単位回路のうち第１の単位回路に前記データ信号が供給されてから、次に前記データ信号が前記第１の単位回路以外の第２の単位回路に供給されるまでの期間内に、前記第１の単位回路及び前記第２の単位回路とは異なる第３の単位回路に、前記複数のデータ線のうち対応するデータ線を介して、前記保持素子に前記第２のトランジスタを実質的にオフ状態とするリセット制御信号が供給されること、を特徴とする。
この電子装置においては、前記リセット制御信号がデータ線を介して供給されるので、単位回路のリセットと同時にデータ線に付随する電荷のリセットも行うことができ、次のデータの書き込みが高速で行える。
なお、前記保持素子としては、容量素子の他、ＳＲＡＭ等の半導体素子により
構成されたメモリ素子が使用できる。
本発明の第６の電子装置は、複数の走査線と、複数のデータ線と、各々が電子素子を含む複数の単位回路と、を含み、前記複数の単位回路のうち第１の単位回路に前記複数のデータ線のうちの１つのデータ線を介してデータ信号が供給されてから、前記複数の単位回路のうち前記第１の単位回路とは異なる第２の単位回路に前記１つのデータ線を介してデータ信号が供給されるまでの期間内に、前記複数の単位回路のうち、前記第１の単位回路及び前記第２の単位回路とは異なる第３の単位回路にリセット制御信号が供給され、前記第１の単位回路に前記１つのデータ線を介してデータ信号が供給され、次に前記第１の単位回路に前記１つのデータ線を介してデータ信号が供給されるまでの期間内に前記第１の単位回路にリセット制御信号が供給されること、を特徴とする。
上記の電子装置において、前記第１の単位回路は、前記複数の走査線の第１の走査線に接続され、前記第２の単位回路は、前記複数の走査線のうち、前記第１の走査線とは隣接しない第２の走査線に接続され、前記第３の単位回路は、前記複数の走査線のうち、前記第１の走査線に隣接した第３の走査線に接続されていてもよい。
上記の電子装置において、前記第１の単位回路は、前記複数の走査線のうち第１の走査線に接続され、前記第２の単位回路は、前記複数の走査線のうち、前記第１の走査線に隣接した第２の走査線に接続され、前記第３の単位回路は、前記複数の走査線のうち、前記第１の走査線とは隣接しない第３の走査線に接続されていてもよい。
上記の電子装置において、前記リセット制御信号は、前記複数のデータ線を介して前記複数の単位回路に供給されることが好ましい。
本発明の第７の電子装置は、複数の走査線と、複数のデータ線と、各々が電子素子を含む複数の単位回路と、を含み、前記複数の単位回路のうち、前記複数の走査線のうち２以上の走査線に対応する単位回路に連続してデータ信号が供給され、１フレーム内に前記複数の単位回路のうちいずれかの単位回路がリセット動作を行うことを特徴とする。
上記の電子装置において、前記複数の単位回路の各々は、前記複数の走査線のうちの１つの走査線を介して供給される走査信号により導通状態が制御される第１のトランジスタと、前記複数のデータ線のうちの１つのデータ線及び前記第１のトランジスタを介して供給されるデータ信号により導通状態が設定される第２のトランジスタと、を含んでいることが好ましい。
上記の電子装置において、前記リセット制御信号は、前記電子素子を所定状態にリセットすることが好ましい。
上記の電子装置において、前記リセット制御信号は前記複数のデータ線に付随する電荷のリセットも行うようにしてもよい。
上記の電子装置において、前記リセット制御信号は前記第２のトランジスタの導通状態を実質的にオフ状態とするようにしてもよい。
【手続補正４】
【補正対象書類名】明細書
【補正対象項目名】００１７
【補正方法】変更
【補正の内容】
【００１７】
上記の電子装置において、前記データ信号は多値であってもよい。
上記の電子装置において、前記データ信号として電流信号を供給してもよい。
上記の電子装置において、前記電子素子は、例えば、ＬＥＤやＦＥＤ、無機ＥＬ素子、液晶素子、電子放出素子、プラズマ発光素子等の種々の電気光学素子をあってもよい。例えば、ＥＬ素子の場合は、その発光層が有機材料で構成されていてもよい。
なお、上記の電子装置のいずれにおいても、データ信号の供給と交互となるようにリセットすることが好ましいが、前記複数の走査線のうち、いくつかの走査線に対応する単位回路に連続してデータ信号を供給した後、リセット動作を行ってもよい。要は、前記複数の走査線の全てに対応する前記複数の単位回路に前記データ信号を供給する前に、少なくとも１回以上リセットを行えばよい。
本発明の電気光学装置は、複数の走査線と、複数のデータ線と、各々が電気光学素子を含む複数の単位回路と、を含み、前記複数の単位回路のうち第１の単位回路に前記複数のデータ線のうちの１つのデータ線を介して、前記第１の単位回路に含まれる電気光学素子の輝度を設定するためのデータ信号が供給されてから、前記複数の単位回路のうち前記第１の単位回路とは異なる第２の単位回路に前記第２の単位回路に含まれる電気光学素子の輝度を設定するためのデータ信号が供給されるまでの期間内に前記複数の単位回路のうち、前記第１の単位回路及び前記第２の単位回路とは異なる第３の単位回路に前記第３の単位回路に含まれる電気光学素子の輝度を実質的にゼロとするリセット制御信号が供給され、１フレーム内に、前記第１の単位回路に前記リセット制御信号が供給されることを特徴とする。
上記の電気光学装置において、前記複数の単位回路の各々は、前記複数の走査線のうちの１つの走査線を介して供給される走査信号により導通状態が制御される第１のトランジスタと、前記複数のデータ線のうちの１つのデータ線及び前記第１のトランジスタを介して供給されるデータ信号により導通状態が設定される第２のトランジスタと、を含むことが好ましい。
上記の電気光学装置において、前記リセット制御信号は、前記第２のトランジスタの導通状態を実質的にオフ状態とすることが好ましい。
上記の電気光学装置において、前記電気光学素子は発光素子であってもよい。
【手続補正５】
【補正対象書類名】明細書
【補正対象項目名】００２５
【補正方法】変更
【補正の内容】
【００２５】
本発明における電子機器は、上記の電子装置または電気光学装置を実装した。